(57)【特許請求の範囲】
【請求項１】
吸引風を発生する電動送風機を内蔵する掃除機本体と、前記掃除機本体に接続するホースと、塵埃を吸引する吸込具と、吸込具とホースを接続する延長管を具備する電気掃除機において、掃除機本体、ホース、延長管には、吸引風の流路である吸気通路と、前記電動送風機から排出される排気の少なくとも一部を吸込具側へ還流する排気通路を有し、前記ホースの延長管接続部にホースの排気通路を開閉する弁体を配して、前記ホースに延長管を接続した時には前記延長管により弁体が押されてホースと延長管の排気通路を連通させるとともに、延長管離脱時には弁体がホースの排気通路を閉鎖するように復元する電気掃除機。
【請求項２】
吸引風を発生する電動送風機を内蔵する掃除機本体と、前記掃除機本体に接続するホースと、塵埃を吸引する吸込具と、吸込具とホースを接続する延長管を具備する電気掃除機において、掃除機本体、ホース、延長管、吸込具には、吸引風の流路である吸気通路と、前記電動送風機から排出される排気の少なくとも一部を吸込具へ還流する排気通路を有し、前記延長管の吸込具接続部に延長管の排気通路を開閉する弁体を配して、前記延長管に吸込具を接続した時には前記吸込具により弁体が押されて延長管と吸込具の排気通路を連通させるとともに、吸込具離脱時には弁体が延長管の排気通路を閉鎖するように復元する電気掃除機。
【発明の詳細な説明】
【０００１】
【発明の属する技術分野】
本発明は、電気掃除機に関するもので、特に電動送風機から排出される排気の少なくとも一部を吸気口へ還流させる電気掃除機に関するものである。
【０００２】
【従来の技術】
従来、この種の電気掃除機は多数提案されており、図１５〜図１９において、吸引風を発生させる電動送風機３８を内蔵する掃除機本体３９にホース４０の一端を接続し、このホース４０の他端に延長管４１または吸込具４２を接続し、掃除機本体３９、ホース４０、延長管４１、吸込具４２は電動送風機３８に吸引される吸引風の吸気通路４３と、電動送風機３８から排出される排気の排気通路４４とを有し、電動送風機３８により吸込具４２から延長管４１およびホース４０を通して吸引した塵埃を、集塵フィルター（図示せず）にて捕集する。そして集塵フィルターで浄化された空気が再度ホース４０および延長管４１を通して吸込具４２の吸気口４５近傍に還流するように構成している。
【０００３】
一方、隙間やサッシの溝掃除、あるいは家具の上などの掃除では、延長管４１を外したホース４０の先、または吸込具４２を外した延長管４１の先に付属の小型吸込具を接続して掃除をするよう構成されている。この小型吸込具のなかには、図１８に示すように、吸気通路４３と排気通路４４にそれぞれ連通する分離した通路が設けられ、ホース４０、延長管４１に接続したとき、排気通路４４を閉じるように構成した小型吸込具４６と、図１９に示すように、小型吸込具４８は、単純な１通路で形成し、吸気通路４３と排気通路４４にそれぞれ連通する分離した通路を有した継ぎパイプ４７を介してホース４０、延長管４１に接続されるものがあった。
【０００４】
【発明が解決しようとする課題】
しかしながら上記従来の電気掃除機では、ホース４０、延長管４１の先から直接掃除をしようとした場合には、ホース４０、延長管４１の先に連通している排気通路４４から排気が吹き出し、塵埃を吹き飛ばしたり、本来は、ホース４０、延長管４１の先から吸気のみを吸引すべきところが、排気通路４４と吸気通路４３が連通しているため、排気の一部が吸気通路４３より吸引されてしまい、吸込力が低下していた。
【０００５】
また、従来から使用していた排気還流式でない電気掃除機で一般的に使用されている小型吸込具４８を使用する場合には、吸気通路４３と排気通路４４を分離する継ぎパイプ４７を必要とし、コスト的にも、接続時の二度手間という使い勝手からも好ましくなかった。一方、排気還流式の電気掃除機には、ホース４０、延長管４１に接続したとき、排気通路４４を閉じるように構成した小型吸込具４６が準備されている場合が一般的であり、コスト的に好ましくなかった。
【０００６】
本発明は、以上のような従来の課題を解決しようとするものであって、使い勝手の良い電気掃除機を安価に提供することを目的としている。
【０００７】
【課題を解決するための手段】
上記目的を達成するために本発明は、吸引風を発生する電動送風機を内蔵する掃除機本体と、前記掃除機本体に接続するホースと、塵埃を吸引する吸込具と、吸込具とホースを接続する延長管を具備する電気掃除機において、掃除機本体、ホース、延長管には、吸引風の流路である吸気通路と、前記電動送風機から排出される排気の少なくとも一部を吸込具側へ還流する排気通路を有し、前記ホースの延長管接続部にホースの排気通路を開閉する弁体を配して、前記ホースに延長管を接続した時には前記延長管により弁体が押されてホースと延長管の排気通路を連通させるとともに、延長管離脱時には弁体がホースの排気通路を閉鎖するように復元する電気掃除機である。
【０００８】
上記構成により、例えば、前記ホースから延長管を離脱した時には、ホースの先からの排気の吹き出しがなく、排気が吸気通路より吸引されることもないので、ホースの先から直接掃除が可能となると共に、排気還流式でない電気掃除機で一般的に使用されている単純な１通路の小型吸込具を直接ホースの先に接続して掃除することも可能となり、従来から使用していた単純な１通路の小型吸込具を使用する場合にも、吸気通路と排気通路を分離する継ぎパイプは不要となり、コスト的にも安くなり、接続時の二度手間からも開放され、使い勝手が向上する。
【０００９】
【発明の実施の形態】
本発明の請求項１記載の発明は、吸引風を発生する電動送風機を内蔵する掃除機本体と、前記掃除機本体に接続するホースと、塵埃を吸引する吸込具と、吸込具とホースを接続する延長管を具備する電気掃除機において、掃除機本体、ホース、延長管には、吸引風の流路である吸気通路と、前記電動送風機から排出される排気の少なくとも一部を吸込具側へ還流する排気通路を有し、前記ホースの延長管接続部にホースの排気通路を開閉する弁体を配して、前記ホースに延長管を接続した時には前記延長管により弁体が押されてホースと延長管の排気通路を連通させるとともに、延長管離脱時には弁体がホースの排気通路を閉鎖するように復元するもので、前記ホースから延長管を離脱した時には、ホースの先からの排気の吹き出しがなく、排気が吸気通路より吸引されることもないので、ホースの先から直接掃除が可能となると共に、排気還流式でない電気掃除機で一般的に使用されている単純な１通路の小型吸込具を直接ホースの先に接続して掃除することも可能となり、従来から使用していた単純な１通路の小型吸込具を使用する場合にも、吸気通路と排気通路を分離する継ぎパイプは不要となり、コスト的にも安くなり、接続時の二度手間からも開放され、使い勝手が向上する。
【００１０】
本発明の請求項２記載の発明は、吸引風を発生する電動送風機を内蔵する掃除機本体と、前記掃除機本体に接続するホースと、塵埃を吸引する吸込具と、吸込具とホースを接続する延長管を具備する電気掃除機において、掃除機本体、ホース、延長管、吸込具には、吸引風の流路である吸気通路と、前記電動送風機から排出される排気の少なくとも一部を吸込具へ還流する排気通路を有し、前記延長管の吸込具接続部に延長管の排気通路を開閉する弁体を配して、前記延長管に吸込具を接続した時には前記吸込具により弁体が押されて延長管と吸込具の排気通路を連通させるとともに、吸込具離脱時には弁体が延長管の排気通路を閉鎖するように復元するもので、排気通路からの排気の吹き出しがなく、排気が吸気通路より吸引されることもないので、吸込具離脱時には、延長管の先からからの排気の吹き出しがなく、排気が吸気通路より吸引されることもないので、延長管の先から直接掃除が可能となると共に、排気還流式でない電気掃除機で一般的に使用されている単純な１通路からなる小型吸込具を、直接延長管の先に接続して掃除することも可能となることで、吸気通路と排気通路を分離する継ぎパイプは不要となり、コスト的にも安くなり、接続時の二度手間からも開放され、使い勝手が向上する。
【００１１】
【実施例】
（実施例１）
以下、本発明の第１の実施例を図１〜図３を用いて説明する。
【００１２】
まず、電気掃除機の全体構成を図１を用いて説明すると、掃除機本体１の接続口２にホース３の接続管４を接続し、ホース３の他端側の握り管５に吸込具６を接続した延長管７を接続している。掃除機本体１内の後方には電動送風機８が内蔵され、接続口２と電動送風機８の間には、塵埃を集塵する集塵室９が設けられている。１０は電動送風機８を覆っている防音筒で、外周面には、排気管１１が接続され、電動送風機８の運転で排出される排気の一部を他端側の接続口２に導いている。接続口２と集塵室９間に挟持された逆止弁１２は、接続口２と集塵室９内とを気密に連通し、また前側には排気管１１が接続される略筒状の排気導入口１３が一体に形成されている。
【００１３】
ホース３は内側に吸気通路１４、外側に排気通路１５を有した二重管構成になっており、ホース３の一端には、同様の二重管構成の接続管４を有し、逆支弁１２を介して吸気通路１４が集塵室９と、排気通路１５が排気導入口１３と気密に連通しており、他端には、上方に排気通路１５、下方に吸気通路１４を配した二重管構成の握り管５を有している。
【００１４】
延長管７、吸込具６は、上方に排気通路１５、下方に吸気通路１４を配した二重管構成になっており、延長管７の一端は、握り管５の延長管接続部１６に配したシール部材であるパッキング１７を介して、握り管５の吸気通路１４、排気通路１５とそれぞれ気密に連通接続され、他端は、延長管７の吸込具接続部１８に配したシール部材であるパッキング１７を介して、吸込具６の吸気通路１４、排気通路１５とそれぞれ気密に連通接続され、吸込具６の排気通路１５は吸気通路１４と連通した吸込口１９へと連通している。握り管５の延長管接続部１６の内周面２０には、延長管７の略円状外周面２１及び吸排気分離面２２との気密性を確保するため、弾性を有する材質で形成されたシール部材であるパッキング１７を配している。また、パッキング１７の排気通路１５側には、開閉自在に前記排気通路１５の長手方向に略垂直に弁体２３を前記パッキング１７と一体で形成している。
【００１５】
同様に、延長管７の吸込具接続部１８の内周面２０には、吸込具６の略円状外周面２１及び吸排気分離面２２との気密性を確保するため、弾性を有する材質で形成されたパッキング１７を配している。また、パッキング１７の排気通路１５側には、開閉自在に弁体２３を前記排気通路１５の長手方向に略垂直に弁体２３を前記パッキング１７と一体で形成している。延長管７の排気通路１５のホース先端側２４及び吸込具６の排気通路１５の延長管先端側２５には、それぞれホース３、延長管７との接続時に、弁体２３と当接し、弁体２３を押し開く突部Ａ２６を前記排気通路１５の長手方向と略平行に配している。
【００１６】
上記構成により、ホース３と延長管７、延長管７と吸込具６をそれぞれ接続した場合に、突部Ａ２６により弁体２３が押し開かれ、排気通路１５が連通し、吸込具６の吸込口１９を経由して排気が還流する。
【００１７】
一方、ホース３と延長管７、延長管７と吸込具６の離脱時には、弁体２３の弾性による復元力及び排気の排圧により、排気通路１５を閉鎖する。このように、ホース３と延長管７、延長管７と吸込具６の離脱時には、排気通路１５が閉鎖されるので、ホース３、延長管７の先からの排気の吹き出しがなく、排気が吸気通路１５より吸引されることもないので、ホース３、延長管７の先から直接掃除が可能となると共に、排気還流式でない電気掃除機で一般的に使用されているホース３、延長管７に接続される単純な１通路からなる小型吸込具（図示せず）を直接ホース３、延長管７の先に接続して掃除することも可能となり、このため吸気通路１４と排気通路１５を分離する継ぎパイプ（図示せず）は不要となり、コスト的にも安くなり、接続時の二度手間からも開放され、使い勝手が向上する。一方、排気還流式の電気掃除機専用に、ホース３、延長管７に接続したとき、排気通路１５を閉じるように構成した小型吸込具を準備する必要もなくなり、コスト的に安くなる。本実施例においては、ホース３と延長管７、延長管７と吸込具６の離脱時において述べたが、吸込具６が掃除機本体１に接続されているハンディタイプの小型電気掃除機や、吸込具６とホース３と掃除機本体１が接続されているアップライト型の電気掃除機においても同様の効果は得られることは言うまでもない。
【００１８】
（実施例２）
以下に本発明の第２の実施例を図４、図５を用いて説明する。なお、上記第１の実施例と同一構成部品については、同一符号を付して、その説明を省略する。握り管５に配した弁体２３の延長管７側、延長管７に配した弁体２３の吸込具６側には、それぞれ延長管７、吸込具６の排気通路１５形成したリブ形状の当接部２７に押し開かれる突部Ｂ２８を前記排気通路１５の長手方向と略平行に配している。
【００１９】
上記構成により、実施例１と同一作用、効果がえられると共に、突部Ａ２６の破損による機能障害の防止と外観性の向上が図れる。
【００２０】
（実施例３）
以下に本発明の第３の実施例を図６、図７を用いて説明する。なお、上記第１、２の実施例と同一構成部品については、同一符号を付して、その説明を省略する。
【００２１】
延長管７の排気通路１５のホース先端側２４及び吸込具６の排気通路１５の延長管先端側２５には、それぞれホース３、延長管７との接続時に、突部Ｄ２９と当接し、弁体２３を押し開く突部Ｃ３０を排気通路１５形成したリブ形状の当接部２７に形成している。握り管５に配した弁体２３の延長管７側、延長管７に配した弁体２３の吸込具６側には、それぞれ延長管７、吸込具６の排気通路１５に形成した突部Ｃ３０に押し開かれる突部Ｄ２９を配している。ここで、突部Ｃ３０は上記実施例１で説明した突部Ａ２６よりも飛び出し代が小さく、突部Ｄ２９は上記実施例２で説明した突部Ｂ２８よりも、突部Ｃ３０の飛び出し代の分だけ飛び出し代を小さく設定できる。
【００２２】
上記構成により、実施例１と同一作用、効果がえられると共に、突部Ｃ３０の破損による機能障害の低減が図れる。
【００２３】
（実施例４）
以下に本発明の第４の実施例を図８を用いて説明する。なお、上記第１〜３の実施例と同一構成部品については、同一符号を付して、その説明を省略する。
【００２４】
弁体２３の排気の流れ方向への飛び出し防止手段として、弁体２３の排気の流れ方向側にシール部材であるパッキング１７と一体に形成した、突起３１を配している。
【００２５】
上記構成により、弁体２３が排気の排圧により、排気の流れ方向へ飛び出すのを防止し、延長管７、吸込具６の離脱時、排気通路１５の閉鎖を確実に行える。
【００２６】
（実施例５）
以下に本発明の第５の実施例を図９、図１０を用いて説明する。なお、上記第１〜４の実施例と同一構成部品については、同一符号を付して、その説明を省略する。
【００２７】
弁体２３を予め排気の流れ方向とは反対側に傾斜させて形成している。
【００２８】
上記構成により、弁体２３の開閉支点３２と開閉支点３２の略下側に位置するシール部材であるパッキング１７の閉鎖面３３との距離よりも、弁体２３の開閉支点３２と弁体２３の下方先端３４との距離を長く形成することが可能となり、延長管７、吸込具６の離脱時、弁体２３が排気通路１５を閉鎖する際、弁体２３の先端３４が閉鎖面３３よりも下側に位置することになり、排気通路１５の閉鎖を確実に行える。
【００２９】
（実施例６）
以下に本発明の第５の実施例を図１１、図１２を用いて説明する。なお、上記第１〜５の実施例と同一構成部品については、同一符号を付して、その説明を省略する。
【００３０】
弁体２３の開閉動作をスムーズにするため、弁体の折り曲げ部５０の近傍に切り欠き部３５を設け薄肉形状としている。
【００３１】
上記構成により、弁体２３の開閉動作がスムーズになり、延長管７、吸込具６の装着力を小さくできると共に、集塵室９に塵埃が堆積し、排気の排圧が低下した場合にも、確実に弁体２３が動作し、排気通路１５を閉鎖できる。
【００３２】
（実施例７）
以下に本発明の第５の実施例を図１３、図１４を用いて説明する。なお、上記第１〜６の実施例と同一構成部品については、同一符号を付して、その説明を省略する。
【００３３】
ホース３の延長管接続部１６と延長管７の吸込具接続部１８の内周面２０に、下側基準で内周面２０の内径の中心とは偏心させた内接面３６を有し、かつ内接面３６は、奥にいくほど内径が小さくなるテーパー状に形成している。
【００３４】
上記構成により、排気還流式の電気掃除機に比べ内径が小さい還流式でない電気掃除機に使用されていた小型吸込具３７で、外周がテーパー状の略円周面で形成されたものも継ぎパイプなしで接続可能とできる。
【００３５】
なお、上記実施例では、シール部材であるパッキング１７に弁体２３を一体に形成したものを紹介したが、回動軸を有した開閉機構、電動のシャッター式の開閉機構、排圧を利用したバネ体による開閉機構等いかなる手段にも適用できることは言うまでもない。
【００３６】
【発明の効果】
本発明によれば、ホースから延長管を、また、延長管から吸込具を離脱した時には、ホースや延長管の先からの排気の吹き出しがなく、排気が吸気通路より吸引されることもないので、ホースや延長管の先から直接掃除が可能となると共に、排気還流式でない電気掃除機で一般的に使用されている単純な１通路の小型吸込具を直接ホースや延長管の先に接続して掃除することも可能となり、従来から使用していた単純な１通路の小型吸込具を使用する場合にも、吸気通路と排気通路を分離する継ぎパイプは不要となり、コスト的にも安くなり、接続時の二度手間からも開放され、使い勝手が向上する。
【図面の簡単な説明】
【図１】  本発明の第１を実施例を示す電気掃除機の全体図
【図２】  同電気掃除機の接続部接続時の要部断面図
【図３】  同電気掃除機の接続部離脱時の要部断面図
【図４】  本発明の第２の実施例を示す電気掃除機の接続部接続時の要部断面図
【図５】  同電気掃除機の接続部離脱時の要部断面図
【図６】  本発明の第３の実施例を示す電気掃除機の接続部接続時の要部断面図
【図７】  同電気掃除機の接続部離脱時の要部断面図
【図８】  本発明の第４の実施例を示す電気掃除機の接続部接続時の要部断面図
【図９】  本発明の第５の実施例を示す電気掃除機の接続部接続時の運転停止時の要部断面図
【図１０】  同電気掃除機の接続部離脱状態での運転時の要部断面図
【図１１】  本発明の第６の実施例を示す電気掃除機の接続部接続時の要部断面図
【図１２】  同電気掃除機の接続部離脱時の要部断面図
【図１３】  本発明の第７の実施例を示す電気掃除機の小型吸込具接続時の要部断面図
【図１４】  図１３のＡ―Ａ断面図
【図１５】  従来を示す電気掃除機の全体図
【図１６】  同電気掃除機の接続部接続時の要部断面図
【図１７】  同電気掃除機の接続部離脱時の要部断面図
【図１８】  同電気掃除機の小型吸込具接続時の要部断面図
【図１９】  同電気掃除機の継ぎパイプを介した小型吸込具接続時の要部断面図
【符号の説明】
３    ホース
７    延長管
１４  吸気通路
１５  排気通路
２３  弁体
２６  突部Ａ
【図１】
0003685072.tif 000002
【図２】
0003685072.tif 000003
【図３】
0003685072.tif 000004
【図４】
0003685072.tif 000005
【図５】
0003685072.tif 000006
【図６】
0003685072.tif 000007
【図７】
0003685072.tif 000008
【図８】
0003685072.tif 000009
【図９】
0003685072.tif 000010
【図１０】
0003685072.tif 000011
【図１１】
0003685072.tif 000012
【図１２】
0003685072.tif 000013
【図１３】
0003685072.tif 000014
【図１４】
0003685072.tif 000015
【図１５】
0003685072.tif 000016
【図１６】
0003685072.tif 000017
【図１７】
0003685072.tif 000018
【図１８】
0003685072.tif 000019
【図１９】
0003685072.tif 000020